(57)【特許請求の範囲】
【請求項１】
立ちはぜ部を備える金属板葺き屋根への太陽電池の取付け構造であって、
ゴム状ブロックと、取付け金物とが備えられ、
ゴム状ブロックは、下面部に溝部を備え、該溝部内に前記立ちはぜ部が通されることにより、立ちはぜ部を挟む両側の屋根面に支承されると共に、立ちはぜ部によって立ちはぜ部の延びる方向と直交する横方向において位置決め状態に保持され、
取付け金物は、立ちはぜ部の延びる方向においてゴム状ブロックの両側に備えられ、ゴム状ブロックの溝部から出て外方に延びる立ちはぜ部分を挟持することで屋根に固着状態に取り付けられ、
これらの取付け金物には、立ちはぜ部の延びる方向におけるゴム状ブロックの前後に位置するストッパーが備えられ、該前後のストッパーにより、ゴム状ブロックが立ちはぜ部の延びる方向において位置決め状態に保持されるようになされると共に、各ストッパーがゴム状ブロックの前後に固着状態に取り付けられ、
該ゴム状ブロック上に太陽電池モジュール取付け用のフレームが支承されて取り付けられ、該フレームに太陽電池モジュールが取り付けられていることを特徴とする金属板葺き屋根への太陽電池の取付け構造。
【発明の詳細な説明】
【技術分野】
【０００１】
本発明は、金属板葺き屋根への太陽電池の取付け構造に関する。
【背景技術】
【０００２】
金属板葺き屋根に太陽電池を取り付ける構造として、金属の葺き板にビス打ち等によって取付け用の孔を明ける構造のものは提供されており、この構造において、上記の孔は防水パッキン等にて止水される。
【先行技術文献】
【特許文献】
【０００３】
【特許文献１】特開平１０−１６９１３１号公報
【発明の概要】
【発明が解決しようとする課題】
【０００４】
しかしながら、上記のような取付け構造では、防水パッキン等によって止水されるとはいっても、そのような取付け孔を完璧に止水することは難しく、雨漏れを起こしたり、積雪地域では融雪水によるトラブルを起こしやすいという問題がある。
【０００５】
本発明は、上記のような問題点に鑑み、安定の良いしっかりとした取付け状態を形成することができ、しかも、水漏れのおそれをなくすことができる金属板葺き屋根への太陽電池の取付け構造を提供することを課題とする。
【課題を解決するための手段】
【０００６】
上記の課題は、立ちはぜ部を備える金属板葺き屋根への太陽電池の取付け構造であって、
ゴム状ブロックと、取付け金物とが備えられ、
ゴム状ブロックは、下面部に溝部を備え、該溝部内に前記立ちはぜ部が通されることにより、立ちはぜ部を挟む両側の屋根面に支承されると共に、立ちはぜ部によって立ちはぜ部の延びる方向と直交する横方向において位置決め状態に保持され、
取付け金物は、立ちはぜ部の延びる方向においてゴム状ブロックの両側に備えられ、ゴム状ブロックの溝部から出て外方に延びる立ちはぜ部分を挟持することで屋根に固着状態に取り付けられ、
これらの取付け金物には、立ちはぜ部の延びる方向におけるゴム状ブロックの前後に位置するストッパーが備えられ、該前後のストッパーにより、ゴム状ブロックが立ちはぜ部の延びる方向において位置決め状態に保持されるようになされると共に、各ストッパーがゴム状ブロックの前後に固着状態に取り付けられ、
該ゴム状ブロック上に太陽電池モジュール取付け用のフレームが支承されて取り付けられ、該フレームに太陽電池モジュールが取り付けられていることを特徴とする金属板葺き屋根への太陽電池の取付け構造によって解決される。
【０００７】
この取付け構造では、ゴム状ブロックが用いられ、該ゴム状ブロックを立ちはぜ部を挟む両側の屋根面に支承させると共に、該ゴム状ブロック上に太陽電池モジュール取付け用のフレームを支承させた構造としているので、ゴム状ブロックの有する弾力性により、力学的に安定した取付け状態を形成することができる。
【０００８】
しかも、ゴム状ブロックは、下面部の溝部内に通された立ちはぜ部によって、該立ちはぜ部の延びる方向と直交する横方向において位置決め状態に保持されると共に、取付け金物による前後のストッパーによって、立ちはぜ部の延びる方向において位置決め状態に保持され、そのような位置決め保持状態において、各取付け金物のストッパーはゴム状ブロックの前後に固着状態に取り付けられ、そして、各取付け金物は、立ちはぜ部分を挟持することで屋根に固着状態に取り付けられた構造となされているので、安定の良いしっかりとした取付け状態を形成することができる。
【０００９】
加えて、各取付け金物は、このように、金属板葺き屋根に対し、立ちはぜ部分を挟持することで取り付けられる構成となっているので、金属板葺き屋根への取付けにおいて金属の葺き板に孔明けをする必要がなく、そのため、水漏れのおそれをなくすことができる。
【発明の効果】
【００１０】
本発明の金属板葺き屋根への太陽電池の取付け構造は、以上のとおりのものであるから、安定の良いしっかりとした取付け状態を形成することができ、しかも、水漏れのおそれをなくすことができる。
【図面の簡単な説明】
【００１１】
【図１】実施形態の取付け構造を示すもので、図（イ）は正面図、図（ロ）は断面側面図である。
【図２】図（イ）は同取付け構造の分解斜視図、図（ロ）はゴム状ブロックの斜視図である。
【図３】図（イ）は屋根へのゴム状ブロックと取付け金物との取付け方法を示す正面図、図（ロ）は同側面図である。
【図４】図（イ）は、屋根への太陽電池モジュールの取付け方法を示す正面図、図（ロ）は同側面図である。
【発明を実施するための形態】
【００１２】
次に、本発明の実施形態を図面に基づいて説明する。
【００１３】
図１〜図４に示す実施形態の取付け構造において、１は金属板葺き屋根、２は立ちはぜ部で、本実施形態では、立ちはぜ部２は屋根傾斜方向に延ばされている。そして、３はゴム状ブロック、４，４は取付け金物であり、５は下フレーム、６は上フレーム、７は太陽電池モジュールである。
【００１４】
ゴム状ブロック３は、直方体形状ないしは立方体形状をしていて、図２（ロ）に示すように、下面部に溝部８を備え、図３及び図４に示すように、該溝部８内に立ちはぜ部２が通されることで、該ゴム状ブロック３は、立ちはぜ部２を挟む両側の屋根面９に支承されると共に、立ちはぜ部２によって、立ちはぜ部２の延びる方向と直交する横方向、即ち、屋根傾斜方向と直交する水平方向において、きっちりとした、あるいは、ある程度の遊びのある位置決め状態に保持されるようになされている。
【００１５】
なお、本実施形態では、溝部８は、十字状に備えられているが、これは、屋根傾斜方向と直交する水平方向に延びる立ちはぜ部を備えた金属板葺き屋根にも用いることができるようにしたものであり、よって、そのような併用を考慮しない場合は、溝部は、一字状に備えられていてもよい。
【００１６】
また、ゴム状ブロック３には、図２及び図３に示すように、溝部８の十字状交叉部に位置して、上下方向に貫通する孔１０が設けられ、該孔１０に、下フレーム５を連結するための頭付きボルトからなるネジ軸１１が、頭部１１ａを下にし、先端側をゴム状ブロック３の上面部から上方に突出させて、上方抜止め状態となるように挿入配置されている。ネジ軸１１の下端部が、溝部８内に通される立ちはぜ部２の妨げにならないような配置で挿入されていることはいうまでもない。
【００１７】
取付け金物４，４は、図２〜図４に示すように、立ちはぜ部２の延びる方向、即ち、屋根傾斜方向において、ゴム状ブロック３の両側に備えられる。各取付け金物４は、対の挟持部４ａ，４ａを備え、該挟持部４ａ，４ａが、ゴム状ブロック３の溝部８から出て外方に延びる立ちはぜ部２を両側から挟むように配置され、ボルト４ｂで締め合わされることにより、立ちはぜ部２を挟持して、屋根に固着状態に取り付けられている。
【００１８】
そして、これらの取付け金物４，４には、立ちはぜ部２の延びる方向におけるゴム状ブロック３の前後に位置するストッパー４ｃ，４ｃが備えられ、該前後のストッパー４ｃ，４ｃにより、ゴム状ブロック３が立ちはぜ部２の延びる方向、即ち、屋根傾斜方向において、きっちりとした位置決め状態に保持され、各ストッパー４ｃ，４ｃは、ゴム状ブロック３の前後面にビス４ｄ等にて固着状態に取り付けられている。
【００１９】
下フレーム５は、立ちはぜ部２の延びる方向に向けられてゴム状ブロック３上に支承されると共に、図１に示すように、ゴム状ブロック３に備えられているネジ軸１１によりゴム状ブロック３に連結され、また、下フレーム５と直交する方向に向けられた上フレーム６が下フレーム５の上に支承されると共に、上下のフレーム５，６はそれらの交叉部でネジ金物１２にて連結され、太陽電池モジュール７は、上フレーム６に対して固定金物１３によって取り付けられている。
【００２０】
上記の取付け構造では、ゴム状ブロック３が用いられ、該ゴム状ブロック３を立ちはぜ部２を挟む両側の屋根面９に支承させると共に、該ゴム状ブロック３上に太陽電池モジュール取付け用のフレーム５を支承させた構造としているので、ゴム状ブロック３の有する弾力性により、力学的に安定した取付け状態を形成することができる。
【００２１】
しかも、ゴム状ブロック３は、下面部の溝部８内に通された立ちはぜ部２によって、立ちはぜ部２の延びる方向と直交する横方向において位置決め状態に保持されると共に、取付け金物４，４による前後のストッパー４ｃ，４ｃによって、立ちはぜ部２の延びる方向において位置決め状態に保持され、そのような位置決め保持状態において、各取付け金物４，４のストッパー４ｃ，４ｃはゴム状ブロック３の前後面にビス４ｄ…で固着状態に取り付けられ、そして、各取付け金物４，４は、立ちはぜ部２を挟持することで屋根に固着状態に取り付けられた構造となっているので、安定の良いしっかりとした取付け状態を形成することができる。
【００２２】
よりしっかりとした取付け状態を形成する必要のある場合は、ゴム状ブロック３と、立ちはぜ部２を挟む両側の屋根面とを接着剤で接着するようにするのもよい。
【００２３】
加えて、各取付け金物４，４は、このように、金属板葺き屋根に対し、立ちはぜ部２を挟持することで取り付けられる構成となっているので、金属板葺き屋根への取付けにおいて金属の葺き板に孔明けをする必要がなく、そのため、水漏れのおそれをなくすことができる。
【符号の説明】
【００２４】
１…金属板葺き屋根
２…立ちはぜ部
３…ゴム状ブロック
４…取付け金物
４ａ…挟持部
４ｃ…ストッパー
５，６…フレーム
７…太陽電池モジュール
８…溝部
【図１】
0005469544.tif 000002
【図２】
0005469544.tif 000003
【図３】
0005469544.tif 000004
【図４】
0005469544.tif 000005